(57)【要約】【課題】  携帯電話機を地面に落下させる等して該携帯電話機に外部から衝撃を加えた際に、バッテリの接続端子と、バッテリコネクタのスプリングピンとの接触が瞬間的に断絶する瞬断現象を防止する。【解決手段】  スプリングピンの先端部を半球状に加工すると、スプリングピンの先端部とバッテリの端子とが「点接触」することとなるため、瞬断現象が発生し易くなる。このため、本発明を適用したスプリングピンにおいては、当該スプリングピンの先端部４ａを、例えば４度の傾斜角を有する略円錐形状にテーパ加工する。これにより、スプリングピンの先端部４ａとバッテリの端子１１ａとの「線接触」を図ることができる。「線」は「点」の集まりであるため、スプリングピンとバッテリの端子１１ａとを、多数の点で接触させることができる。このため、接触点の数を多数とすることができることから、瞬断現象を強力に防止することができる。【選択図】  図４
2008262793.tif 000002
【特許請求の範囲】
【請求項１】
端子板と、
一端部が上記端子板に固定された中空形状の外導体と、
上記外導体内に収納される内導体と、
上記内導体と共に上記外導体内に収納され、該内導体に対して該外導体から突出する方向の弾性力を与える弾性手段と、
上記内導体に設けられた飛び出し防止手段と、
上記外導体に設けられ、上記内導体に設けられた上記飛び出し防止手段と当接することで、上記弾性手段により上記外導体から突出する上記内導体の突出量を、所定の突出量に維持するストッパと
を有し、
上記内導体には、その先端部を所定の傾斜角の略円錐形状とするテーパ加工が施されており、当該内導体は、上記テーパ加工が施された上記先端部が被接触部に対して線接触すること
を特徴とするスプリングピン。
【請求項２】
請求項１に記載のスプリングピンであって、
上記内導体は、上記被接触部に対する上記先端部の線接触を補助するように、上記弾性手段に当接する底面部が所定の傾斜角を有するように斜めに切り欠き加工されていること
を特徴とするスプリングピン。
【請求項３】
請求項１又は請求項２に記載のスプリングピンであって、
上記内導体は、その先端部に、当該内導体と同軸となる一つ或いは複数のリング状の溝部を有すること
を特徴とするスプリングピン。
【請求項４】
少なくとも第１の端子板と、所定の大きさの孔部が設けられた第２の端子板とが、モールドを介して積層されることで形成された複合端子板と、
一端部が上記第２の端子板に固定された中空形状の外導体と、
少なくとも第１の内導体及び該第１の内導体を収納する第２の内導体を備え、上記外導体内に収納される内導体と、
一端部が上記第１の内導体に当接し他端部が上記第２の端子板に設けられた孔部を介して第１の端子板に当接するように上記外導体内に収納され、上記第１の内導体に対して上記第２の内導体から突出する方向の弾性力を与える第１の弾性手段と、
一端部が上記第２の内導体に当接し他端部が上記第２の端子板に当接するように上記外導体内に収納され、上記第２の内導体に対して上記外導体から突出する方向の弾性力を与える第２の弾性手段と、
上記第１の内導体に設けられた第１の飛び出し防止手段と、
上記第２の内導体に設けられた第２の飛び出し防止手段と、
上記第２の内導体に設けられ、上記第１の内導体に設けられた上記第１の飛び出し防止手段と当接することで、上記第１の弾性手段により上記第２の内導体から突出する上記第１の内導体の突出量を、所定の突出量に維持する第１のストッパと
上記外導体に設けられ、上記第２の内導体に設けられた上記第２の飛び出し防止手段と当接することで、上記第２の弾性手段により上記外導体から突出する上記第２の内導体の突出量を、所定の突出量に維持する第２のストッパと
を有し、
上記第１の内導体には、その先端部に所定の傾斜角の略円錐形状とするテーパ加工が施されており、上記第２の内導体には、その先端部に、上記第１の内導体に施されたテーパ加工で形成された傾斜角を略連続させる傾斜角を形成するテーパ加工が施されており、上記第１及び第２の内導体は、上記テーパ加工が施された上記各先端部が被接触部に対してそれぞれ線接触すること
を特徴とするスプリングピン。
【請求項５】
請求項４に記載のスプリングピンであって、
上記第１の内導体は、上記被接触部に対する上記先端部の線接触を補助するように、上記第１の弾性手段に当接する底面部が所定の傾斜角を有するように斜めに切り欠き加工されており、
上記第２の内導体は、上記被接触部に対する上記先端部の線接触を補助するように、上記第２の弾性手段に当接する底面部が所定の傾斜角を有するように斜めに切り欠き加工されていること
を特徴とするスプリングピン。
【請求項６】
端子板と、
一端部が上記端子板に固定された中空形状の外導体と、
上記外導体内に収納される内導体と、
上記内導体と共に上記外導体内に収納され、該内導体に対して該外導体から突出する方向の弾性力を与える弾性手段と、
上記内導体に設けられた飛び出し防止手段と、
上記外導体に設けられ、上記内導体に設けられた上記飛び出し防止手段と当接することで、上記弾性手段により上記外導体から突出する上記内導体の突出量を、所定の突出量に維持するストッパと
を備えたスプリングピンを有し、
上記内導体には、その先端部を所定の傾斜角の略円錐形状とするテーパ加工が施されており、当該内導体は、上記テーパ加工が施された上記先端部が被接触部に対して線接触すること
を特徴とするバッテリコネクタ装置。
【請求項７】
少なくとも第１の端子板と、所定の大きさの孔部が設けられた第２の端子板とが、モールドを介して積層されることで形成された複合端子板と、
一端部が上記第２の端子板に固定された中空形状の外導体と、
少なくとも第１の内導体及び該第１の内導体を収納する第２の内導体を備え、上記外導体内に収納される内導体と、
一端部が上記第１の内導体に当接し他端部が上記第２の端子板に設けられた孔部を介して第１の端子板に当接するように上記外導体内に収納され、上記第１の内導体に対して上記第２の内導体から突出する方向の弾性力を与える第１の弾性手段と、
一端部が上記第２の内導体に当接し他端部が上記第２の端子板に当接するように上記外導体内に収納され、上記第２の内導体に対して上記外導体から突出する方向の弾性力を与える第２の弾性手段と、
上記第１の内導体に設けられた第１の飛び出し防止手段と、
上記第２の内導体に設けられた第２の飛び出し防止手段と、
上記第２の内導体に設けられ、上記第１の内導体に設けられた上記第１の飛び出し防止手段と当接することで、上記第１の弾性手段により上記第２の内導体から突出する上記第１の内導体の突出量を、所定の突出量に維持する第１のストッパと
上記外導体に設けられ、上記第２の内導体に設けられた上記第２の飛び出し防止手段と当接することで、上記第２の弾性手段により上記外導体から突出する上記第２の内導体の突出量を、所定の突出量に維持する第２のストッパと
を備えたスプリングピンを有し、
上記第１の内導体には、その先端部に所定の傾斜角の略円錐形状とするテーパ加工が施されており、上記第２の内導体には、その先端部に、上記第１の内導体に施されたテーパ加工で形成された傾斜角を略連続させる傾斜角を形成するテーパ加工が施されており、上記第１及び第２の内導体は、上記テーパ加工が施された上記各先端部が被接触部に対してそれぞれ線接触すること
を特徴とするバッテリコネクタ装置。
【発明の詳細な説明】
【技術分野】
【０００１】
本発明は、例えばカメラモジュール装置や液晶モジュール装置等のあらゆるモジュール装置の端子や、携帯電話機、ＰＨＳ電話機（PHS：Personal Handyphone System）、ＰＤＡ装置（PDA：Personal Digital Assistant）、ノート型のパーソナルコンピュータ装置、携帯ゲーム機、デジタルカメラ装置等の携帯機器のバッテリに対して接続を図るバッテリ端子等に設けて好適なスプリングピン、及びこのスプリングピンを適用したバッテリコネクタ装置に関する。特に、スプリングピンの先端部が所定の傾斜角を備えた円錐形状となるようにテーパ加工を施すことで、当該スプリングピンの先端部と被接触部とを線で接触させ、外部からの衝撃等により、スプリングピンと被接触部との接触が瞬間的に断絶する、いわゆる瞬断現象の防止等を図ったスプリングピン、及びこのスプリングピンを適用したバッテリコネクタ装置に関する。
【背景技術】
【０００２】
特開平１０−１８８９２９号の公開特許公報（特許文献１）に、携帯電話機等で小型プリント基板と電池パックとを接続する電池パック接続用端子構造が開示されている。この電池パック接続用端子構造の場合、携帯電話機本体に実装された小型プリント基板に、回路パターンがそれぞれ接続された陽極端子用及び陰極端子用の２つの座（ランド）を設けている。各ランドは、小型プリント基板の回路パターンの製作工程と同一工程で形成されている。
【０００３】
また、この電池パック接続用端子構造では、小型プリント基板に電池パックを装着した際に、該小型プリント基板側の各ランドにそれぞれ接触する２つの接続端子を、電池パック側に設けている。この電池パック側に設けられた各接続端子は、上記いずれかのランドに接触するピンと、このピンの下部に取り付けられたスプリングとで構成されている。そして、小型プリント基板に電池パックが装着された際に、各スプリングの弾性力により、各ピンの先端が各ランドに対してそれぞれ圧接されるようになっている。
【０００４】
【特許文献１】特開平１０−１８８９２９号公報（第２頁、図１）
【発明の開示】
【発明が解決しようとする課題】
【０００５】
ここで、図１１に、このピンの断面図を示す。特許文献１に開示されている各接続端子の場合、スプリングの弾性力により各ピンの先端を各ランド部に圧接することができるのは良いが、図１１からわかるように、ピン１００の先端が球状に加工されているため、ランド部１０１との接触が「点接触」となる問題がある。
【０００６】
電池パックに対して上記「点接触」による電気的接続を図った場合、携帯電話機を地面に落下させる等して該携帯電話機に外部から衝撃を加えた際に、ピン１００とランド１０１との接触が瞬間的に断絶する、いわゆる瞬断現象が発生する。そして、この瞬断現象が発生すると、携帯電話機の設定内容がリセットされたり、一部のデータが消失する等の不具合が発生する。
【０００７】
本発明は、上述の課題に鑑みてなされたものであり、スプリングピンの先端の形状を、被接触部に対して「線接触」可能な形状として瞬断現象を強力に防止可能としたスプリングピン、及びバッテリコネクタ装置の提供を目的とする。
【課題を解決するための手段】
【０００８】
本発明に係るスプリングピンは、上述の課題を解決するための手段として、
端子板と、
一端部が上記端子板に固定された中空形状の外導体と、
上記外導体内に収納される内導体と、
上記内導体と共に上記外導体内に収納され、該内導体に対して該外導体から突出する方向の弾性力を与える弾性手段と、
上記内導体に設けられた飛び出し防止手段と、
上記外導体に設けられ、上記内導体に設けられた上記飛び出し防止手段と当接することで、上記弾性手段により上記外導体から突出する上記内導体の突出量を、所定の突出量に維持するストッパと
を有する。
【０００９】
そして、上記内導体の先端部に対して、当該先端部を所定の傾斜角の略円錐形状とするテーパ加工を施し、このテーパ加工を施した先端部を被接触部に対して線接触させることで上述の課題を解決する。
【００１０】
本発明に係るスプリングピンは、上述の課題を解決するための手段として、
少なくとも第１の端子板と、所定の大きさの孔部が設けられた第２の端子板とが、モールドを介して積層されることで形成された複合端子板と、
一端部が上記第２の端子板に固定された中空形状の外導体と、
少なくとも第１の内導体及び該第１の内導体を収納する第２の内導体を備え、上記外導体内に収納される内導体と、
一端部が上記第１の内導体に当接し他端部が上記第２の端子板に設けられた孔部を介して第１の端子板に当接するように上記外導体内に収納され、上記第１の内導体に対して上記第２の内導体から突出する方向の弾性力を与える第１の弾性手段と、
一端部が上記第２の内導体に当接し他端部が上記第２の端子板に当接するように上記外導体内に収納され、上記第２の内導体に対して上記外導体から突出する方向の弾性力を与える第２の弾性手段と、
上記第１の内導体に設けられた第１の飛び出し防止手段と、
上記第２の内導体に設けられた第２の飛び出し防止手段と、
上記第２の内導体に設けられ、上記第１の内導体に設けられた上記第１の飛び出し防止手段と当接することで、上記第１の弾性手段により上記第２の内導体から突出する上記第１の内導体の突出量を、所定の突出量に維持する第１のストッパと
上記外導体に設けられ、上記第２の内導体に設けられた上記第２の飛び出し防止手段と当接することで、上記第２の弾性手段により上記外導体から突出する上記第２の内導体の突出量を、所定の突出量に維持する第２のストッパと
を有する。
【００１１】
そして、上記第１の内導体の先端部に対して、所定の傾斜角の略円錐形状とするテーパ加工を施すと共に、上記第２の内導体の先端部に対して、上記第１の内導体に施されたテーパ加工で形成された傾斜角を略連続させる傾斜角を形成するテーパ加工を施し、上記テーパ加工を施した上記第１及び第２の内導体の各先端部を、被接触部に対してそれぞれ線接触させることで上述の課題を解決する。
【００１２】
また、本発明に係るバッテリコネクタ装置は、上述の課題を解決するための手段として、
端子板と、
一端部が上記端子板に固定された中空形状の外導体と、
上記外導体内に収納される内導体と、
上記内導体と共に上記外導体内に収納され、該内導体に対して該外導体から突出する方向の弾性力を与える弾性手段と、
上記内導体に設けられた飛び出し防止手段と、
上記外導体に設けられ、上記内導体に設けられた上記飛び出し防止手段と当接することで、上記弾性手段により上記外導体から突出する上記内導体の突出量を、所定の突出量に維持するストッパと
を備えたスプリングピンを有する。
【００１３】
そして、上記内導体の先端部に対して、当該先端部を所定の傾斜角の略円錐形状とするテーパ加工を施し、このテーパ加工を施した先端部を被接触部に対して線接触させることで上述の課題を解決する。
【００１４】
また、本発明に係るバッテリコネクタ装置は、上述の課題を解決するための手段として、
少なくとも第１の端子板と、所定の大きさの孔部が設けられた第２の端子板とが、モールドを介して積層されることで形成された複合端子板と、
一端部が上記第２の端子板に固定された中空形状の外導体と、
少なくとも第１の内導体及び該第１の内導体を収納する第２の内導体を備え、上記外導体内に収納される内導体と、
一端部が上記第１の内導体に当接し他端部が上記第２の端子板に設けられた孔部を介して第１の端子板に当接するように上記外導体内に収納され、上記第１の内導体に対して上記第２の内導体から突出する方向の弾性力を与える第１の弾性手段と、
一端部が上記第２の内導体に当接し他端部が上記第２の端子板に当接するように上記外導体内に収納され、上記第２の内導体に対して上記外導体から突出する方向の弾性力を与える第２の弾性手段と、
上記第１の内導体に設けられた第１の飛び出し防止手段と、
上記第２の内導体に設けられた第２の飛び出し防止手段と、
上記第２の内導体に設けられ、上記第１の内導体に設けられた上記第１の飛び出し防止手段と当接することで、上記第１の弾性手段により上記第２の内導体から突出する上記第１の内導体の突出量を、所定の突出量に維持する第１のストッパと
上記外導体に設けられ、上記第２の内導体に設けられた上記第２の飛び出し防止手段と当接することで、上記第２の弾性手段により上記外導体から突出する上記第２の内導体の突出量を、所定の突出量に維持する第２のストッパと
を備えたスプリングピンを有する。
【００１５】
そして、上記第１の内導体の先端部に対して、所定の傾斜角の略円錐形状とするテーパ加工を施すと共に、上記第２の内導体の先端部に対して、上記第１の内導体に施されたテーパ加工で形成された傾斜角を略連続させる傾斜角を形成するテーパ加工を施し、上記テーパ加工を施した上記第１及び第２の内導体の各先端部を、被接触部に対してそれぞれ線接触させることで上述の課題を解決する。
【発明の効果】
【００１６】
本発明は、スプリングピンの先端部を、被接触部に対して線接触させることができる。このため、瞬断現象を強力に防止することができる。
【発明を実施するための最良の形態】
【００１７】
本発明は、携帯電話機のバッテリコネクタ装置に適用することができる。
【００１８】
［第１の実施の形態］
［スプリングピンの構成］
まず、図１に、この本発明の第１の実施の形態となるバッテリコネクタ装置に設けられているスプリングピンの断面図を示す。この図１からわかるように、この実施の形態のバッテリコネクタ装置に設けられているスプリングピン１は、平板状の端子板２と、この端子板２に一端が接続された略円筒形状の外導体３と、この外導体３内に収納された略円柱形状の内導体４と、この内導体４と共に外導体３内に収納され、外導体３から内導体４を突出させる方向の弾性力を該内導体４に対して与えるスプリング５とを有している。
【００１９】
略円柱形状の内導体４の先端部４ａは、円錐形の頂点部を当該円錐形の底面部と平行となる面部を形成するように切断加工した形状を有している。このため、図２に示すように、この先端部４ａの頂点部４ｂを上面から見ると略真円形状を有している。一例ではあるが、先端部４ａの径は０．７ｍｍ、頂点部４ｂの径は０．１ｍｍとなっている。
【００２０】
また、この先端部４ａには、上記略真円形状を有する頂点部４ｂの外周部から当該内導体４の外周部にかけて、図１に示すように例えば４度の傾斜角を有するようにテーパ加工が施されている。後述するが、このスプリングピン１の場合、先端部４ａに対して、この４度の傾斜角のテーパ加工を施すことで、該先端部４ａがバッテリの端子に対して「線」で接触するようになっている。
【００２１】
また、この内導体４の上記先端部４ａが設けられている側に対して反対側となる底面部４ｃには、当該内導体４の一方の外周部から反対側の外周部にかけて所定の傾斜角を形成するように斜めに切り欠き加工が施されている。図１からわかるように、この底面部４ｃはスプリング５と当接する。このため、底面部４ｃに対して上記所定の傾斜角の切り欠き加工を施すことで、スプリング５の弾性力により、当該内導体４が外導体３から、やや斜めに突出することとなる。後述するが、このように外導体３から内導体４を、やや斜めに突出させることで、内導体４の上記先端部４ａとバッテリの端子とを上記「線」で接触し易くしている。
【００２２】
また、この内導体４の上記底面部４ｃの近傍には、当該内導体４の外周部に沿ってリング状の飛び出し防止リング４ｄが設けられている。この飛び出し防止リング４ｄは、以下に説明する外導体３のストッパ６と当接することで、スプリング５の弾性力が与えられる内導体４を、外導体３から所定分突出させた状態で停止させるようになっている。
【００２３】
一方、外導体３は、端子板２側の端部に対して反対側となるの端部３ａに、上記内導体４の径よりも多少大きめの径の挿通孔３ｂを有している。換言すると、この挿通孔３ｂは、外導体３の上記端部３ａを、当該外導体３の径よりも窄ませるように加工することで形成されている。そして、この外導体３の端部３ａの窄ませた部分が、内導体４に設けられている飛び出し防止リング４ｄと当接することで、スプリング５の弾性力が与えられる内導体４を、当該外導体３から所定分突出させた状態で停止させるストッパ６として機能するようになっている。
【００２４】
［バッテリコネクタ装置の構成］
次に、図３に、この本発明の第１の実施の形態となるバッテリコネクタ装置が設けられた携帯電話機の斜視図を示す。この図３に示すように当該実施の形態のバッテリコネクタ装置１０は、繰り返し充電が可能なバッテリ１１が収納される、携帯電話機１２のバッテリ収納部１３に設けられる。この例の場合、バッテリ１１には、陽極端子１１ａ及び陰極端子１１ｂの他、当該バッテリ１１が携帯電話機１２用のバッテリであるか否かを判別するためのバッテリ判別データ端子１１ｃを有している。
【００２５】
バッテリコネクタ装置１０は、このバッテリ１１の構成に対応した構成を有しており、図１に示した構成のスプリングピン５を３つ有している。具体的には、バッテリコネクタ装置１０は、バッテリ１１が携帯電話機１２のバッテリ収納部１３に設けられた際に、バッテリ１１の陽極端子１１ａに当接する陽極端子用スプリングピン１ａ、バッテリ１１の陽極端子１１ｂに当接する陰極端子用スプリングピン１ｂ、及びバッテリ１１のバッテリ判別データ端子１１ｃに当接するバッテリ判別データ端子用スプリングピン１ｃを有している。
【００２６】
［スプリングピンの機能］
次に、このようなバッテリコネクタ装置に設けられた各スプリングピン１ａ〜１ｃは、バッテリ１１の各端子１１ａ〜１１ｃに対して、その先端部４ａが「線」で接触するようになっている。
【００２７】
順を追って説明すると、まず、図３に示すようにバッテリ１１を携帯電話機１２のバッテリ収納部１３に装着する場合、バッテリ１１の各端子１１ａ〜１１ｃを、バッテリコネクタ装置の各端子用スプリングピン１ａ〜１ｃにそれぞれ当接させた状態で、該バッテリ１１を、各端子用スプリングピン１ａ〜１ｃの形成方向に押し込む。
【００２８】
図１に示したように、各端子用スプリングピン１ａ〜１ｃは、バッテリ１１の非装着時には、スプリング５の弾性力により外導体３から内導体４が突出した状態となっているが、バッテリ１１の装着時に、該バッテリ１１を各端子用スプリングピン１ａ〜１ｃの形成方向に押し込むと、各端子用スプリングピン１ａ〜１ｃの内導体４が、スプリング５を押し縮めて外導体３内に収納される。これにより、バッテリ収納部１３に、バッテリ１１を収納可能な大きさの間隙部が形成され、該バッテリ収納部１３にバッテリ１１が収納されることとなる。そして、各端子用スプリングピン１ａ〜１ｃの内導体４には、スプリング５により、外導体３から突出する方向の弾性力が与えられているため、バッテリ１１をバッテリ収納部１３に収納した後には、スプリング５の弾性力により、各端子用スプリングピン１ａ〜１ｃの内導体４が、バッテリ１１の各端子１１ａ〜１１ｃに強固に当接することとなる。
【００２９】
ここで、図４に、バッテリ１１の陽極端子１１ａに、バッテリコネクタ装置の陽極端子用スプリングピン１ａが当接した状態を部分的に拡大した図を示す。図１を用いて説明したように、スプリングピン１の底面部４ｃは、斜めに切り欠き加工されている。また、外導体３の挿通孔３ａの径は、内導体４の径よりも多少大きめの径を有しており、外導体３の挿通孔３ａと、内導体４の外周との間には、若干の隙間が存在する。
【００３０】
このため、バッテリ１１をバッテリ収納部１３に装着する際に、陽極端子用スプリングピン１ａの底面部４ｃの傾斜角度、外導体３の挿通孔３ａと内導体４の外周との間の隙間の大きさ、及びバッテリ収納部１３に対するバッテリ１１の挿入角度等により、陽極端子用スプリングピン１ａの先端部４ａがバッテリ１１の陽極端子１１ａに対して、所定の角度を持って斜めに当接するようになる。
【００３１】
また、陽極端子用スプリングピン１ａの先端部４ａは、その頂点部４ｂが、端子板２の平面と平行となるように切り欠き加工されており、この頂点部４ｂの外周から内導体４の外周にかけて斜めに切り欠き加工されているため、頂点部４ｂの外周には角部が形成されている。このため、陽極端子用スプリングピン１ａの先端部４ａをバッテリ１１の陽極端子１１ａに当接させた状態で、該バッテリ１１を、陽極端子用スプリングピン１ａの形成方向に押し込むと、陽極端子用スプリングピン１ａの上記頂点部４ｂの外周に形成された角部で、バッテリ１１の陽極端子１１ａが引っ掛かれ、該頂点部４ｂで陽極端子１１ａの表面が削り取られる（セルフクリーニング機能）。そして、この削り取られた陽極端子１１ａに対して陽極端子用スプリングピン１ａが当接する。これにより、陽極端子１１ａの表面の汚れ等を自動的に削り取ったうえで、陽極端子用スプリングピン１ａを陽極端子１１ａに当接させることができるため、良好な電気接続を図ることができる。
【００３２】
さらに、陽極端子用スプリングピン１ａの先端部４ａは、その頂点部４ｂの外周から内導体４の外周にかけて、例えば４度の角度を持って斜めに切り欠き加工されている。このため、陽極端子用スプリングピン１ａとバッテリ１１の陽極端子１１ａが当接する際に、上述の陽極端子用スプリングピン１ａの底面部４ｃの傾斜角度、外導体３の挿通孔３ａと内導体４の外周との間の隙間の大きさ等も手伝って、図４に太線で示すように、この先端部４ａの傾斜面に沿って直線状に、陽極端子用スプリングピン１ａの先端部４ａとバッテリ１１の陽極端子１１ａとが当接する（線接触）。
【００３３】
これにより、「点接触」させる場合よりも、陽極端子用スプリングピン１ａとバッテリ１１の陽極端子１１ａとの接触領域を大きくすることができることから、良好な電気的接続を図ることができる。なお、この説明は、陽極端子用スプリングピン１ａとバッテリ１１の陽極端子１１ａとの接触を例にとって説明したが、陰極端子用スプリングピン１ｂ及びバッテリ判別データ端子用スプリングピン１ｃも、上述の陽極端子用スプリングピン１ａと同じく機能することで、バッテリ１１の陰極端子１１ｂ或いはバッテリ判別データ端子１１ｃと線接触する。詳細は、上述の陽極端子用スプリングピン１ａとバッテリ１１の陽極端子１１ａとの線接触の説明を参照されたい。
【００３４】
［第１の実施の形態の効果］
以上の説明から明らかなように、この第１の実施の形態のバッテリコネクタ装置は、スプリングピン１の先端部４ａの頂点部４ｂが、端子板２の平面と平行となるように切り欠き加工されており、この頂点部４ｂの外周から内導体４の外周にかけて斜めに切り欠き加工されている。また、スプリングピン１の底面部４ｃも斜めに切り欠き加工されており、バッテリ１１の端子と接触する際に、スプリングピン１の先端部４ａの傾斜面が、「線」で、バッテリ１１の端子に接触するようになっている（線接触）。このため、「点接触」させる場合よりも、スプリングピン１とバッテリ１１の端子との接触領域を大きくすることができ、良好な電気的接続を図ることができる。
【００３５】
また、スプリングピン１とバッテリ１１の端子とが「線接触」するようになっているため、携帯電話機１２を地面に落下させる等して該携帯電話機１２に外部から衝撃が加わった際に、スプリングピン１とバッテリ１１の端子との接触が瞬間的に断絶する、いわゆる瞬断現象を強力に防止することができる。換言すれば、「線」は「点」の集まりであるため、スプリングピン１とバッテリ１１の端子とは、多数の点で接触していると言える。このため、接触点の数を多数とすることができることから、瞬断現象を強力に防止することができる。また、瞬断現象を強力に防止することができるため、該瞬断現象の発生により、携帯電話機の設定内容がリセットされたり、一部のデータが消失する等の不具合の発生も強力に防止することができる。
【００３６】
また、バッテリの陽極端子に接触させるための陽極端子用スプリングピン及びバッテリの陰極端子に接触させるための陰極端子用スプリングピンを、それぞれ２本ずつ設け、バッテリ判別データ端子用スプリングピンも加え、計５本のスプリングピンでバッテリとの接触を図ることで瞬断現象を防止する手法も知られているが、この場合、必要となるスプリングピンの本数が多くなり、必然的にバッテリコネクタ装置が大型化する。
【００３７】
しかし、当該実施の形態のバッテリコネクタ装置の場合、バッテリ１１の各端子１１ａ〜１１ｃに対してそれぞれ線接触するスプリングピン１ａ〜１ｃで、該バッテリ１１の各端子１１ａ〜１１ｃとの強力な電気接続を図ることができるため、必要とするスプリングピンの本数を計３本として、当該バッテリコネクタ装置の小型化を図ることができる。なお、バッテリ判別を行わない場合は、バッテリ判別データ端子用スプリングピン１ｃも省略することができるため、必要とするスプリングピンの本数を陽極端子用及び陰極端子用の計２本とすることができ、当該バッテリコネクタ装置のさらなる小型化を図ることができる。
【００３８】
［第２の実施の形態］
次に、本発明の第２の実施の形態となるバッテリコネクタ装置の説明をする。上述の第１の実施の形態のバッテリコネクタ装置は、図２に示したようにスプリングピン１の頂点部４ｂの外周から内導体４の外周にかけて斜めに切り欠き加工を施したものであったが、この第２の実施の形態のバッテリコネクタ装置は、スプリングピン１の頂点部４ｂの外周から内導体４の外周にかけて斜めに切り欠き加工を施すと共に、この頂点部４ｂの外周と内導体４の外周との間にリング状の溝部を設けることで、２本の線で、スプリングピン１の先端部４ａとバッテリ１１の端子との接触を図るようにしたものである。
【００３９】
なお、上述の第１の実施の形態のバッテリコネクタ装置と当該第２の実施の形態のバッテリコネクタ装置とは、上記溝部を設けた以外は同じ構成を有している。このため、以下、両者の差異の説明のみ行い、重複説明は省略することとする。
【００４０】
［第２の実施の形態のバッテリコネクタ装置のスプリングピンの構成］
図５（ａ）に、この第２の実施の形態のバッテリコネクタ装置に設けられているスプリングピン１の先端部４ａを上面から見た図を、また、図５（ｂ）に、この陽極端子用スプリングピン１ａが、バッテリ１１の陽極端子１１ａに当接している状態の図を示す。
【００４１】
図５（ａ）からわかるように、この第２の実施の形態のバッテリコネクタ装置に設けられているスプリングピン１の先端部４ａは、頂点部４ｂの外周から内導体４の外周にかけて斜めに切り欠き加工が施されると共に、この頂点部４ｂの外周と内導体４の外周との略中間に位置するように、リング状の溝部１５が設けられている。
【００４２】
すなわち、このリング状の溝部１５により、バッテリ１１の端子と接触するスプリングピン１の傾斜面部が、頂点部４ｂの外周から溝部１５までの間の面部と、溝部１５から内導体４の外周までの間の面部とに２分割されている。
【００４３】
［第２の実施の形態のバッテリコネクタ装置のスプリングピンの機能］
第１の実施の形態と同様に、陽極端子用スプリングピン１ａと、バッテリ１１の陽極端子１１ａとの接触を例にとって、このスプリングピンの機能を説明すると、このスプリングピンの場合、上記リング状の溝部１５が設けられているため、図５（ｂ）に示すように、頂点部４ｂの外周から溝部１５までの間、及び溝部１５から内導体４の外周までの間が、それぞれ直線状に、バッテリ１１の陽極端子１１ａと接触する。すなわち、陽極端子用スプリングピン１ａの、頂点部４ｂの外周から溝部１５までの間が１本の線としてバッテリ１１の陽極端子１１ａと接触すると共に、溝部１５から内導体４の外周までの間が２本目の線としてバッテリ１１の陽極端子１１ａと接触する。
【００４４】
［第２の実施の形態の効果］
これにより、上述の第１の実施の形態と同じ効果に加え、スプリングピン１とバッテリ１１の端子とを、２本の線で接触させることができるため、上述の第１の実施の形態のバッテリコネクタ装置よりも、さらに強力に瞬断現象を防止することができる。
【００４５】
また、溝部１５を設けたことで、頂点部４ｂの外周から内導体４の外周までの間に、当該溝部１５に対応する角部が形成されることとなり、この角部により、バッテリ１１の端子面を削り取りながら、当該スプリングピン１がバッテリ１１の端子に当接することとなるため、さらに強力なセルフクリーニング効果を得ることができる。
【００４６】
なお、この例では、バッテリ１１の端子と接触するスプリングピン１の傾斜面部に対して１本のみ溝部１５を設けることで、該傾斜面部を２分割して上記２本の線でバッテリ１１の端子との接触を図ることとしたが、スプリングピン１の傾斜面部に対して複数の溝部を設けることで、該傾斜面部を多分割して、多数の線でバッテリ１１の端子との接触を図るようにしてもよい。上記傾斜面部に対して２本の溝部を設けた場合には、３本の線でバッテリ１１の端子との接触が図られることとなる。また、上記傾斜面部に対して３本の溝部を設けた場合には、４本の線でバッテリ１１の端子との接触が図られることとなる。そして、多数の線でバッテリ１１の端子との接触を図ることで、さらに強力に瞬断現象を防止することができる。
【００４７】
［第３の実施の形態］
次に、本発明の第３の実施の形態となるバッテリコネクタ装置の説明をする。上述の各実施の形態のバッテリコネクタ装置は、１つの内導体４を有するスプリングピン１を設けたものであったが、この第３の実施の形態のバッテリコネクタ装置は、陽極用の内導体及び陰極用の内導体を同軸２重構造としたスプリングピンを設けたものである。なお、この第３の実施の形態のバッテリコネクタ装置は、この点のみが上述の各実施の形態のバッテリコネクタ装置と異なる。このため、以下、この差異の説明のみ行い、重複説明は省略することとする。
【００４８】
［第３の実施の形態のバッテリコネクタ装置のスプリングピンの構成］
図６に示すように、この第３の実施の形態のバッテリコネクタ装置のスプリングピン２０は、略円柱形状の第１の内導体２１と、この第１の内導体２１を収納する略円筒形状の第２の内導体２２と、第１の内導体２１を収納した状態で第２の内導体２２を収納する略円筒形状の外導体２３とを有している。
【００４９】
また、このスプリングピン２０は、第１の内導体２１に対して第２の内導体２２から突出する方向の弾性力を与える第１のスプリング２４と、第２の内導体２２に対して外導体２３から突出する方向の弾性力を与える第２のスプリング２５と、陽極となる端子板及び陰極となる端子板が複合化された複合電極２９とを有している。
【００５０】
図７（ａ）に示すように、略円柱形状の第１の内導体２１の先端部２１ａは、上述の各実施の形態で説明した内導体４と同じく、円錐形の頂点部を当該円錐形の底面部と平行となる面部を形成するように切断加工した形状を有している。このため、この先端部２１ａを真上から見ると、その頂点部２１ｂは、略真円形状となっている。
【００５１】
また、この先端部２１ａには、上記略真円形状を有する頂点部２１ｂの外周部から当該内導体２１の外周部にかけて、例えば４度の傾斜角を有するようにテーパ加工が施されている。また、この第１の内導体２１の上記先端部２１ａが設けられている側に対して反対側となる底面部２１ｃには、当該内導体２１の一方の外周部から反対側の外周部にかけて所定の傾斜角を形成するように斜めに切り欠き加工が施されている。
【００５２】
また、この第１の内導体２１の上記底面部２１ｃの近傍には、当該内導体２１の外周部に沿ってリング状の飛び出し防止リング２１ｄが設けられている。この飛び出し防止リング２１ｄは、以下に説明する第２の内導体２２に設けられているストッパ３０と当接することで、第１のスプリング２４の弾性力が与えられる当該内導体２１を、第２の内導体２２から所定分突出させた状態で停止させるようになっている。
【００５３】
さらに、この第１の内導体２１には、第１のスプリング２４と当接する底面部２１ｃ、及び上述のテーパ加工が施されている上記先端部２１ａを除き、全体的に非導通コーティングが施されている。すなわち、この第１の内導体２１は、第２の内導体２２内に収納されるのであるが、この際、第２の内導体２２と当接する部分に対して非導通コーティングが施されている。
【００５４】
略円筒形状の第２の内導体２２は、図７（ｂ）に示すように複合電極２９側の端部に対して反対側となるの端部２２ａに、上記第１の内導体２１を挿通させるための挿通孔２２ｂを有している。また、この端部２２ａには、上記第１の内導体２１の先端部２１ａの傾斜角と略連続して上記４度の傾斜角を形成するようにテーパ加工が施されている。
【００５５】
また、この第２の内導体２２には、上記第１の内導体２１の飛び出し防止リング２１ｄと当接することで、第１のスプリング２４の弾性力が与えられる該第１の内導体２１を、当該第２の内導体２２から所定分突出させた状態で停止させるストッパ３０が設けられている。このストッパ３０を設けたことで、第２の内導体２２の径は、上記端部２２ａからストッパ３０までの間の径よりも、ストッパ３０から上記端部２２ａに対して反対側となる端部２２ｃまでの間の径の方が、大きな径を有するようになっている。また、この第２の内導体２２の上記端部２２ｃは、当該内導体２２の一方の外周部から反対側の外周部にかけて所定の傾斜角を形成するように斜めに切り欠き加工が施されている。
【００５６】
略円筒形状の外導体２３は、図７（ｃ）に示すように複合電極２９側の端部に対して反対側となるの端部２３ａに、上記第２の内導体２２の細い方の径よりも多少大きめの径の挿通孔３１を有している。換言すると、この挿通孔３１は、外導体２３の上記端部２３ａを、当該外導体２３の径よりも窄ませるように加工することで形成されている。そして、この外導体２３の端部２３ａの窄ませた部分が、第２の内導体２２に設けられているストッパ３０と当接することで、第２のスプリング２５の弾性力が与えられる第２の内導体２２を、当該外導体２３から所定分突出させた状態で停止させるストッパ３２として機能するようになっている。
【００５７】
一方、図７（ａ）及び図７（ｂ）を見比べてわかるように、第１のスプリング２４の径は、第２のスプリング２５の径よりも小さくなっている。また、第１のスプリング２４には、その両端部以外の部分に対して非導通加工となるエナメル加工が施されている。すなわち、この第１のスプリング２４には、上記第１の内導体２１に接触する端部、及び複合電極２９の陽極電極２６に接触する端部を除いて、全体的にエナメル加工が施されている。
【００５８】
複合電極２９は、図７（ｃ）に示すように平板状の陽極電極２６と、略中心に所定のスプリング挿入孔３３が設けられた平板状の陰極電極２７とを、非導通部材であるモールド２８を介して積層することで形成されている。スプリング挿入孔３３の径は、第１のスプリング２４の径よりも大きく、かつ、第２のスプリング２５の径よりも小さな径となっている。また、この図７（ｃ）からわかるように、外導体２３の径は、第２のスプリング２５の径よりも若干大きな径となっている。
【００５９】
このため、図７（ｃ）に示すように、第２のスプリング２５は、外導体２３内に収納された際に、陰極電極２７により支持されるかたちで、該外導体２３内に収納されることとなる。また、図７（ｃ）に示すように、第１のスプリング２４は、外導体２３内に収納された際に、第２のスプリング２５内を挿通すると共に、陰極電極２７に設けられた上記スプリング挿入孔３３を挿通し、陽極電極２６により支持されるかたちで、該外導体２３内に収納されることとなる。
【００６０】
上述のように、陽極電極２６により支持される第１のスプリング２４は、第１の内導体２１に当接している。このため、当該スプリングピン２０においては、第１の内導体２１、第１のスプリング２４、及び陽極電極２６により陽極が形成されることとなる。また、陰極電極２７により支持される第２のスプリング２５は、第２の内導体２２に当接している。このため、当該スプリングピン２０においては、第２の内導体２２、第２のスプリング２５、及び陰極電極２７により陽極が形成されることとなる。
【００６１】
すなわち、当該スプリングピン２０は、図８（ａ）、（ｂ）に示すように同軸となるように設けられた第１の内導体２１及び第２の内導体２２のうち、内側の第１の内導体２１が陽極となり、外側の第２の内導体２２が陰極となっている。
【００６２】
なお、陽極となる第１の内導体２１には、陰極となる第２の内導体２２と接触する部分に非導通コーティング加工が施されているため、このように第１及び第２の内導体２１，２２を同軸上に配しても、短絡等の不都合は生じないようになっている。また、一例ではあるが、図８（ｂ）に示すように第１の内導体２１の頂点部２１ｂの径は０．１ｍｍ、第２の内導体２２の径は０．７ｍｍ、各内導体２１，２２に施されたテーパ加工による傾斜角は、それぞれ４度となっている。
【００６３】
［バッテリの端子構成］
まず、この第３の実施の形態のバッテリコネクタ装置の場合、電極用のスプリングピンとして、図６等を用いて説明した同軸２重構造のスプリングピン２０と、バッテリ判別データ端子用スプリングピンとして、上述の第１の実施の形態（或いは、第２の実施の形態）で説明したスプリングピン１とが設けられている。
【００６４】
これに対して、この第３の実施の形態のバッテリコネクタ装置が接続されるバッテリは、図９（ａ）に示すように陽極端子及び陰極端子が同軸上に複合化された複合電極端子４１と、バッテリ判別データ端子４２との、計２つの端子が設けられている。
【００６５】
図９（ｂ）に、上記複合電極端子４１の拡大図を示す。この図９（ｂ）からわかるように、この複合電極端子４１は、スプリングピン２０の陽極となる第１の内導体２１と当接する陽極端子４３と、該スプリングピン２０の陰極となる第２の内導体２２と当接する陰極端子４４とを同軸上に配して構成されている。陽極端子４３及び陰極端子４４の間には、図９（ｂ）中、斜線で示す非導通部材が設けられており、陽極端子４３及び陰極端子４４を同軸上に配しながらも、短絡等の不都合が生じないように構成されている。
【００６６】
また、陽極端子４３及び陰極端子４４の大きさは、スプリングピン２０の第１の内導体２１及び第２の内導体２２の大きさにそれぞれ対応する大きさとなっている。すなわち、陽極端子４３の大きさは、スプリングピン２０の第１の内導体２１に接触するが、第２の内導体２２には接触しない大きさとなっており、同様に、陰極端子４４の大きさは、スプリングピン２０の第２の内導体２２に接触するが、第１の内導体２１には接触しない大きさとなっている。
【００６７】
［第３の実施の形態のバッテリコネクタ装置のスプリングピンの機能］
以下、第３の実施の形態のバッテリコネクタ装置に設けられているスプリングピン２０の機能を説明する。なお、この第３の実施の形態のバッテリコネクタ装置に設けられているスプリングピンのうち、バッテリ判別データ端子用スプリングピンは、上述の第１の実施の形態（或いは、第２の実施の形態）で説明したスプリングピン１と同じ構成を有するため、その機能は、上述の第１の実施の形態の説明（或いは、第２の実施の形態の説明）を参照されたい。
【００６８】
図９（ａ）に示したバッテリを携帯電話機に装着する場合、当該バッテリの複合電極端子４１に対してスプリングピン２０を当接させた状態で、該バッテリをスプリングピン２０の形成方向に押し込む。
【００６９】
図６に示したように、スプリングピン２０の第１の内導体２１及び第２の内導体２２は、バッテリの非装着時には、第１のスプリング２４及び第２のスプリング２５の弾性力により、それぞれ外導体２３から突出した状態となっているが、バッテリの装着時に、該バッテリにより押し込まれると、各内導体２１，２２が、各スプリング２４，２５を押し縮めて外導体２３内に収納される。
【００７０】
これにより、携帯電話機のバッテリ収納部に、バッテリを収納可能な大きさの間隙部が形成され、該バッテリ収納部にバッテリが収納されることとなる。そして、各内導体２１，２２には、第１，第２のスプリング２４，２５により、外導体２３から突出する方向の弾性力が与えられているため、バッテリをバッテリ収納部に収納した後には、各スプリング２４，２５の弾性力により、各内導体２１，２２が、バッテリの複合電極端子４１に強固に当接することとなる。
【００７１】
図１０に、バッテリの複合電極端子４１に、スプリングピン２０が当接した状態を部分的に拡大した図を示す。図７（ａ）及び図７（ｂ）を用いて説明したように、第１の内導体２１の底面部２１ｃ、及び第２の内導体２２の底面部２２ｃは、それぞれ斜めに切り欠き加工されている。また、第１の内導体２１が挿通される第２の内導体２２の挿通孔２２ｂの径は、該第１の内導体２１の径よりも多少大きめの径を有しており、第２の内導体２２の挿通孔２２ｂと、第１の内導体２１の外周との間には、若干の隙間が存在する。同様に、第２の内導体２２が挿通される外導体２３の挿通孔３１の径は、第２の内導体２２の径よりも多少大きめの径を有しており、外導体２３の挿通孔３１と、第２の内導体２２の外周との間には、若干の隙間が存在する。
【００７２】
このため、バッテリの複合電極端子４１にスプリングピン２０を当接させた状態で当該バッテリを押し込むと、各内導体２１，２２の底面部２１ｃ，２２ｃの傾斜角度、第２の内導体２２の挿通孔２２ｂと、第１の内導体２１の外周との間の隙間の大きさ、外導体２３の挿通孔３１と、第２の内導体２２の外周との間の隙間の大きさ、及びバッテリ収納部に対するバッテリの挿入角度等により、スプリングピン２０の各内導体２１，２２がバッテリの複合電極端子４１に対して、所定の角度を持って斜めに当接するようになる。
【００７３】
また、図７（ａ）に示したように第１の内導体２１の先端部２１ａは、その頂点部２１ｂが、複合電極２９の平面と平行となるように切り欠き加工されており、この頂点部２１ｂの外周から当該第１の内導体２１の外周にかけて斜めに切り欠き加工されているため、頂点部２１ｂの外周には角部が形成されている。
【００７４】
さらに、図７（ｂ）に示したように第２の内導体２２の先端部２２ａに対しても、第１の内導体２１の先端部２１ａに形成された傾斜を略延長するように、斜めに切り欠き加工が施されているため、この第２の内導体２２の先端部２２ａにも角部が形成されている。
【００７５】
このため、バッテリの複合電極端子４１にスプリングピン２０の先端部を当接させた状態で、該バッテリを、スプリングピン２０の形成方向に押し込むと、第１の内導体２１のの上記頂点部２１ｂの外周に形成された上記角部、及び第２の内導体２２の先端部２２ａに形成された上記角部で、バッテリの複合電極端子４１が引っ掛かれ、該頂点部２１ｂ及び先端部２２ａで複合電極端子４１の表面が削り取られる（セルフクリーニング機能）。そして、この削り取られた複合電極端子４１に対してスプリングピン２０の第１及び第２の内導体２１，２２が当接する。これにより、複合電極端子４１の表面の汚れ等を自動的に削り取ったうえで、スプリングピン２０を複合電極端子４１に当接させることができるため、良好な電気接続を図ることができる。
【００７６】
さらに、スプリングピン２０の第１の内導体２１は、その頂点部２１ｂの外周から当該第１の内導体２１の外周にかけて、例えば４度の角度を持って斜めに切り欠き加工されている。また、第２の内導体２２は、その先端部２２ａが、第１の内導体２１に設けられた上記４度の傾斜を延長するように斜めに切り欠き加工されている。
【００７７】
このため、当該スプリングピン２０とバッテリの複合電極端子４１が当接する際に、上述の各内導体２１，２２の各底面部２１ｃ，２２ｃの傾斜角度、第２の内導体２２の挿通孔２２ｂと、第１の内導体２１の外周との間の隙間の大きさ、外導体２３の挿通孔３１と、第２の内導体２２の外周との間の隙間の大きさ、及びバッテリ収納部に対するバッテリの挿入角度等により、図１０に太線で示すように、このスプリングピン２０の陽極となる第１の内導体２１の先端部２１ａの傾斜面に沿って直線状に、該第１の内導体２１の先端部２１ａとバッテリの複合電極端子４１の陽極端子４３とが線接触する。また、このスプリングピン２０の陰極となる第２の内導体２２の先端部２２ａの傾斜面に沿って直線状に、該第２の内導体２２の先端部２２ａとバッテリの複合電極端子４１の陰極端子４４とが線接触する。
【００７８】
これにより、バッテリの複合電極端子４１の陽極端子４３及び陰極端子４４に対する第１の内導体２１及び第２の内導体２２の接触領域をそれぞれ大きくすることができ、良好な電気的接続を図ることができる。
【００７９】
［第３の実施の形態の効果］
以上の説明から明らかなように、この第３の実施の形態のバッテリコネクタ装置に設けられているスプリングピン２０は、陽極端子となる第１の内導体２１及び陰極端子となる第２の内導体２２を同軸上に配した同軸２重構造を有している。また、第１の内導体２１の先端部２１ａ及び第２の内導体２２の先端部２２ａには、それぞれ斜めにテーパ加工が施されている。このため、このスプリングピン２０に対応して、同軸２重構造とされたバッテリの複合電極端子４１の陽極端子４３に対して、上記第１の内導体２１の先端部２１ａを線接触させると共に、バッテリの複合電極端子４１の陰極端子４４に対して、上記第２の内導体２２の先端部２２ａを線接触させることができる。スプリングピン２０の各内導体２１，２２と、バッテリの各端子４３，４４との接触領域を大きくすることができ、良好な電気的接続を図ることができる。このため、瞬断現象を強力に防止することができる他、上述の各実施の形態と同様の効果を得ることができる。
【００８０】
また、スプリングピン２０は、上記同軸２重構造であり、１本のピンで陽極及び陰極の２つの電極を構成している。このため、上述の各実施の形態のバッテリコネクタ装置の場合、陽極用、陰極用及びバッテリ判別用で計３本のスプリングピンを必要としていたが、当該第３の実施の形態のバッテリコネクタ装置の場合、必要とするスプリングピンを、上記同軸２重構造のスプリングピン２０と、バッテリ判別用のスプリングピンとの計２本のスプリングピンに削減することができる。このため、当該第３の実施の形態のバッテリコネクタ装置は、上述の第１及び第２の実施の形態のバッテリコネクタ装置よりも、大幅な小型化を可能とすることができる。なお、当該第３の実施の形態のバッテリコネクタ装置において、バッテリ判別を行わない場合は、バッテリ判別データ端子用のスプリングピンも省略することができるため、必要とするスプリングピンを上記スプリングピン２０のみとすることができ、当該バッテリコネクタ装置のさらなる小型化を図ることができる。
【００８１】
なお、この第３の実施の形態の説明では、スプリングピン２０の第１の内導体２１を陽極用、第２の内導体２２を陰極用としたが、第１の内導体２１を陰極用、第２の内導体２２を陽極用としてもよい。
【００８２】
また、第１の内導体２１或いは第２の内導体２２のうち、いずれか一方をバッテリ判別データ端子用としてもよい。この場合、同軸２重構造のスプリングピン２０以外に設けられるスプリングピンが、陽極用或いは陰極用のスプリングピンとなる。
【００８３】
また、この第３の実施の形態で説明したスプリングピン２０は同軸２重構造であることとしたが、陽極用、陰極用、及びバッテリ判別データ端子用の各内導体による同軸３重構造としてもよい。この場合、１本のスプリングピンで、バッテリ側に設けられた陽極端子、陰極端子、及びバッテリ判別データ端子に対してそれぞれ接続を図ることができ、当該バッテリコネクタ装置のさらなる小型化を図ることができる。
【００８４】
［変形例］
なお、上述の各実施の形態の説明では、本発明を携帯電話機のバッテリコネクタ装置に適用することとしたが、本発明は、この他、ＰＨＳ電話機（PHS：Personal Handyphone System）、ＰＤＡ装置（PDA：Personal Digital Assistant）、ノート型のパーソナルコンピュータ装置、携帯ゲーム機、デジタルカメラ装置等の携帯機器のバッテリコネクタ装置に適用してもよい。いずれの場合でも、上述と同じ効果を得ることができる。
【００８５】
また、上述の各実施の形態の説明では、本発明をバッテリコネクタ装置に適用することとしたが、本発明は、このバッテリコネクタ装置の他、カメラモジュール装置、液晶モジュール装置等の様々なモジュール装置やコネクタ装置のスプリングピンとして設けてもよい。いずれの場合も、上述と同じ効果を得ることができる。
【００８６】
さらに、上述の各実施の形態の説明では、スプリングピンを４度の傾斜角となるようにテーパ加工することとしたが、この傾斜角は一例であり、端子等に対して線接触可能な傾斜角とすればよい。
【００８７】
最後に、上述の各実施の形態の説明は、本発明の一例である。このため、本発明は上述の各実施の形態に限定されることはなく、本発明に係る技術的思想を逸脱しない範囲であれば、設計等に応じて種々の変更が可能であることは勿論であることを付け加えておく。
【図面の簡単な説明】
【００８８】
【図１】本発明を適用した第１の実施の形態となるバッテリコネクタ装置に設けられているスプリングピンの断面図である。
【図２】第１の実施の形態のバッテリコネクタ装置に設けられているスプリングピンの先端部を真上から見た図である。
【図３】第１の実施の形態のバッテリコネクタ装置が設けられた携帯電話機の斜視図である。
【図４】第１の実施の形態のバッテリコネクタ装置に設けられているスプリングピンが、バッテリの端子と接触している状態を示す図である。
【図５】本発明を適用した第２の実施の形態となるバッテリコネクタ装置に設けられているスプリングピンの先端部を真上から見た図、及び当該スプリングピンがバッテリの端子と接触している状態を示す図である。
【図６】本発明を適用した第３の実施の形態のバッテリコネクタ装置に設けられているスプリングピンの断面図である。
【図７】第３の実施の形態のバッテリコネクタ装置に設けられているスプリングピンの分解図である。
【図８】第３の実施の形態のバッテリコネクタ装置に設けられているスプリングピンの先端部の拡大図である。
【図９】第３の実施の形態のバッテリコネクタ装置に接続されるバッテリの端子構成を説明するための図である。
【図１０】第３の実施の形態となるバッテリコネクタ装置に設けられているスプリングピンがバッテリの端子と接触している状態を示す図である。
【図１１】従来のスプリングピンの断面図である。
【符号の説明】
【００８９】
１  スプリングピン、１ａ  陽極端子用スプリングピン、１ｂ  陰極端子用スプリングピン、１ｃ  バッテリ判別データ端子用スプリングピン、２  端子板、３  外導体、３ａ  外導体の反電極側の端部、３ｂ  外導体の挿通孔、４  内導体、４ａ  内導体の先端部、４ｂ  内導体の先端部の頂点部、４ｃ  内導体の底面部、４ｄ  内導体の飛び出し防止リング、５  スプリングピン、６  外導体のストッパ、１１  バッテリ、１１ａ  バッテリの陽極端子、１１ｂ  バッテリの陰極端子、１１ｃ  バッテリのバッテリ判別データ端子、１２  携帯電話機、１３  携帯電話機のバッテリ収納部、１５  スプリングピンの先端部に設けられた溝部、２０  スプリングピン、２１  第１の内導体、２１ａ  第１の内導体の先端部、２１ｂ  第１の内導体の先端部の頂点部、２１ｃ  第１の内導体の底面部、２１ｄ  第１の内導体に設けられた飛び出し防止リング、２２  第２の内導体、２２ａ  第２の内導体の先端側の端部、２２ｂ  第２の内導体の挿通孔、２２ｃ  第２の内導体の底面部側の端部、２３  外導体、２３ａ  外導体の反複合電極側の端部、２４  第１のスプリング、２５  第２のスプリング、２６  複合電極の陽極電極、２７  複合電極の陰極電極、２８  複合電極のモールド、２９  複合電極、３０  第２の内導体のストッパ、３１  外導体の挿通孔、３２  外導体のストッパ、３３  複合電極のスプリング挿入孔、４１  バッテリの複合電極端子、４２  バッテリのバッテリ判別データ端子、４３  バッテリの複合電極端子の陽極端子、４４  バッテリの複合電極端子の陰極端子
【図１】
2008262793.tif 000003
【図２】
2008262793.tif 000004
【図３】
2008262793.tif 000005
【図４】
2008262793.tif 000006
【図５】
2008262793.tif 000007
【図６】
2008262793.tif 000008
【図７】
2008262793.tif 000009
【図８】
2008262793.tif 000010
【図９】
2008262793.tif 000011
【図１０】
2008262793.tif 000012
【図１１】
2008262793.tif 000013